【手続補正書】
【提出日】平成25年3月18日(2013.3.18)
【手続補正１】
【補正対象書類名】明細書
【補正対象項目名】０００７
【補正方法】変更
【補正の内容】
【０００７】
前記目的を達成すべく、本発明に係る流路切換弁は、上側弁シート部及び下側弁シート部を有する弁室が設けられた弁本体と、前記上側弁シート部及び下側弁シート部にその上下端面をそれぞれ対接させながら回動せしめられる弁体と、該弁体を回転駆動するアクチュエータとを備え、前記上側弁シート部に前記弁本体の外部へ連通する複数個のポートが形成されるとともに、前記下側弁シート部に前記弁本体の外部へ連通する複数個のポートが形成され、前記弁体に前記上下のポート間を連通させ得る少なくとも１本の連通路が設けられるとともに、前記弁室は前記弁体により前記上側弁シート部を含む上室部と前記下側弁シート部を含む下室部とに分割されて実質的に気密に仕切られており、前記連通路が、前記弁体の回転位置に応じて、前記上側弁シート部に形成された少なくとも１つのポートと前記下側弁シート部に形成された少なくとも１つのポートとの間を連通する状態と、前記上側弁シート部に形成された全てのポートと前記下側弁シート部に形成された全てのポートとの間を連通しない状態とを形成することを特徴としている。
【手続補正２】
【補正対象書類名】明細書
【補正対象項目名】０００８
【補正方法】変更
【補正の内容】
【０００８】
また本発明に係る流路切換弁は、前記上側弁シート部に形成される複数個のポートは、複数個の上側入出ポート及び上側メインポートであり、前記下側弁シート部に形成される複数個のポートは、前記複数個の上側入出ポートと対をなす複数個の下側入出ポート及び下側メインポートであることを特徴としている。
【手続補正３】
【補正対象書類名】明細書
【補正対象項目名】０００９
【補正方法】変更
【補正の内容】
【０００９】
また、本発明に係る流路切換弁は、前記上側弁シート部に形成される複数個のポートは、複数個の上側入出ポート及び上側メインポートであり、前記下側弁シート部に形成される複数個のポートは、前記複数個の上側入出ポートと対をなす複数個の下側入出ポート及び前記上側メインポートと対をなす下側メインポートであることを特徴としている。
【手続補正４】
【補正対象書類名】特許請求の範囲
【補正対象項目名】全文
【補正方法】変更
【補正の内容】
【特許請求の範囲】
【請求項１】
上側弁シート部及び下側弁シート部を有する弁室が設けられた弁本体と、前記上側弁シート部及び下側弁シート部にその上下端面をそれぞれ対接させながら回動せしめられる弁体と、該弁体を回転駆動するアクチュエータとを備え、
前記上側弁シート部に前記弁本体の外部へ連通する複数個のポートが形成されるとともに、前記下側弁シート部に前記弁本体の外部へ連通する複数個のポートが形成され、
前記弁体に前記上下のポート間を連通させ得る少なくとも１本の連通路が設けられるとともに、前記弁室は前記弁体により前記上側弁シート部を含む上室部と前記下側弁シート部を含む下室部とに分割されて実質的に気密に仕切られており、
前記連通路が、前記弁体の回転位置に応じて、前記上側弁シート部に形成された少なくとも１つのポートと前記下側弁シート部に形成された少なくとも１つのポートとの間を連通する状態と、前記上側弁シート部に形成された全てのポートと前記下側弁シート部に形成された全てのポートとの間を連通しない状態とを形成することを特徴とする流路切換弁。
【請求項２】
前記上側弁シート部に形成される複数個のポートは、複数個の上側入出ポート及び上側メインポートであり、前記下側弁シート部に形成される複数個のポートは、前記複数個の上側入出ポートと対をなす複数個の下側入出ポート及び下側メインポートであることを特徴とする請求項１記載の流路切換弁。
【請求項３】
前記上側弁シート部に形成される複数個のポートは、複数個の上側入出ポート及び上側メインポートであり、前記下側弁シート部に形成される複数個のポートは、前記複数個の上側入出ポートと対をなす複数個の下側入出ポート及び前記上側メインポートと対をなす下側メインポートであることを特徴とする請求項１記載の流路切換弁。
【請求項４】
前記上側弁シート部及び下側弁シート部に、それぞれ４個ずつ入出ポートが設けられるとともに、前記弁体に、前記４対の入出ポート間のいずれか二つを連通させるべく前記連通路が２本設けられ、前記弁体は、前記２本の連通路が前記４対の入出ポート間のいずれも連通させない第１の回動位置と、前記４対の入出ポート間のうちのいずれか二つのポート間を連通させる第２の回動位置と、をとり得るようにされていることを特徴とする請求項３に記載の流路切換弁。
【請求項５】
前記上側弁シート部及び下側弁シート部に、それぞれ２個ずつ入出ポートが設けられるとともに、前記弁体に、前記２対の入出ポート間のいずれか一つを連通させるべく前記連通路が１本設けられ、前記弁体は、前記１本の連通路が前記２対の入出ポート間のいずれも連通させない第１の回動位置と、前記２対の入出ポート間のうちのいずれか一つのポート間を連通させる第２の回動位置と、をとり得るようにされていることを特徴とする請求項３に記載の流路切換弁。
【請求項６】
前記上側弁シート部及び下側弁シート部に、それぞれ［Ｎ］個ずつ入出ポートが設けられるとともに、前記弁体に、前記［Ｎ］対の入出ポート間のいずれか一つ〜［Ｎ−１］つを連通させるべく前記連通路が１〜［Ｎ−１］本設けられ、前記弁体は、前記１〜［Ｎ−１］本の連通路が前記［Ｎ］対の入出ポート間のいずれも連通させない第１の回動位置と、前記［Ｎ］対の入出ポート間のうちのいずれか一つ〜［Ｎ−１］つのポート間を連通させる第２の回動位置と、をとり得るようにされていることを特徴とする請求項３に記載の流路切換弁。
【請求項７】
前記弁体は、前記第１及び第２の回動位置に加えて、前記メインポート間のみを連通させる第３の回動位置をとり得るようにされていることを特徴とする請求項３から６のいずれかに記載の流路切換弁。
【請求項８】
前記連通路の少なくとも一端側に、該連通路から前記弁室内への漏れを防ぐとともに、前記連通路の開口端が前記弁シート部に弾発的に圧接するように、前記連通路の開口端に連通路シール材が装着されていることを特徴とする請求項１から７のいずれかに記載の流路切換弁。
【請求項９】
前記連通路の両端の受圧径は、同一又はほぼ同一に設定されていることを特徴とする請求項１から８のいずれかに記載の流路切換弁。
【請求項１０】
前記弁体は、前記弁室の上室部と下室部とを気密に仕切るための弁室シール材を備えていることを特徴とする請求項１から９のいずれかに記載の流路切換弁。
【請求項１１】
前記アクチュエータは、前記弁本体の上室部側に設けられ、前記弁本体には、前記上室部と前記アクチュエータ内部とを連通する均圧孔が設けられていることを特徴とする請求項１から１０のいずれかに記載の流路切換弁。
【請求項１２】
前記均圧孔は、前記弁体が回転しても該弁体の連通路と連通しないポートに開口していることを特徴とする請求項１１に記載の流路切換弁。
【請求項１３】
圧縮機、膨張弁、複数の熱交換器、及び請求項１から１２のいずれかに記載の流路切換弁を備え、
前記流路切換弁により、前記複数の熱交換器の接続状態が必要に応じて並列接続から直列接続へ、及び、直列接続から並列接続へ切り換えられるようにされていることを特徴とするヒートポンプ装置。
【請求項１４】
前記流路切換弁のアクチュエータは、前記弁本体に形成される上室部側に設けられ、
前記圧縮機から吐出される冷媒は、前記弁本体に形成される下室部側に導入されることを特徴とする請求項１３に記載のヒートポンプ装置。
【請求項１５】
前記弁本体には、前記上室部及びアクチュエータ内部を連通する均圧孔が設けられていることを特徴とする請求項１３又は１４に記載のヒートポンプ装置。
【請求項１６】
前記均圧孔は、前記弁体が回転しても該弁体の連通路と連通しないポートに開口していることを特徴とする請求項１３から１５のいずれかに記載のヒートポンプ装置。